(57)【要約】【課題】電磁開閉器に過飽和リアクトル付きのサーマルリレーを追加する場合の仕様変更にも簡単に対応でき、しかもリアクトルのコイル口出線を安全に配線できるように組立構造を改良した過飽和リアクトル付きサーマルリレーユニットを提供する。【解決手段】電磁開閉器１と組合せて使用するサーマルリレー２に、その内蔵ヒートエレメントと並列接続する過飽和リアクトル３を外付けした過飽和リアクトル付きサーマルリレーユニットにおいて、各相の過飽和リアクトルを電磁開閉器から分離した専用の取付ベース板６の上に一括支持してサーマルリレーの側方に組合せるとともに、過飽和リアクトルのコイル口出線３ｃ，３ｄを２本とも取付ベース板６と反対側から上方に引出した上で、そのコイル口出線をサーマルリレーの負荷側端子，電源側端子に接続するようにし、ここで、取付ベース板６の端部には取付座６ａを設けておき、この取付ベース板を電磁開閉器の台座部１ｂに重ねて盤内に共締め固定する。【選択図】        図１
2008077971.tif 000002
【特許請求の範囲】
【請求項１】
電磁開閉器と組合せて使用するサーマルリレーに、その内蔵ヒートエレメントと並列接続する過飽和リアクトルを外付けした過飽和リアクトル付きサーマルリレーユニットにおいて、
各相の過飽和リアクトルを専用取付ベース板の上に一括支持してサーマルリレーの側方に配置するとともに、過飽和リアクトルのコイル口出線を２本とも前記取付ベース板と反対側から上方に引出した上で、そのコイル口出線をサーマルリレーの負荷側端子，電源側端子に接続するようにしたことを特徴とする過飽和リアクトル付きサーマルリレーユニット。
【請求項２】
請求項１に記載のサーマルリレーユニットにおいて、取付ベース板に、電磁開閉器の台座部に重ねて共締めする取付座を設けたことを特徴とする過飽和リアクトル付きサーマルリレーユニット。
【請求項３】
請求項１に記載のサーマルリレーユニットにおいて、過飽和リアクトルのコイルから引出した２本の口出線のうち、一方の口出線をサーマルリレーの負荷側端子に接続し、他方の口出線は電磁開閉器の負荷側端子，もしくはサーマルリレーから突き出して電磁開閉器の負荷側端子に接続する電源側のロッド端子に接続したことを特徴とする過飽和リアクトル付きサーマルリレーユニット。
【発明の詳細な説明】
【技術分野】
【０００１】
本発明は、電磁開閉器に組合せてモータ電源回路などに適用するサーマルリレーに過飽和リアクトルを組合せてユニット化したサーマルリレーユニットの組立構造に関する。
【背景技術】
【０００２】
周知のように、慣性の大きな負荷を付けて起動するモータの電源回路に適用する電磁開閉器（電磁接触器）では、上位の配線用回路遮断器との保護協調を図るために、電磁開閉器に遅延形のサーマルリレー（熱動形過負荷継電器）を組み合わせモータ起動中のトリップ動作を防ぐようにしており、一般には電磁開閉器に付属させる標準形のサーマルリレー（過飽和リアクトル無し）に過飽和リアクトルを外付けし、この過飽和リアクトルをサーマルリレーに内蔵のヒートエレメント（バイメタル加熱用ヒータ）と並列接続して遅延形のサーマルリレーを構築している（例えば、特許文献１参照）。
【０００３】
次に、サーマルリレーに過飽和リアクトルを外付けして電磁開閉器に接続した状態での従来構成を図４〜図６に示す。なお、図４は全体の外観図、図５はサーマルリレー単独の外観図、図６は回路図である。各図において、１は電磁開閉器（電磁接触器）、２は電磁開閉器のオプションユニットである標準形のサーマルリレー、３はサーマルリレー２に外付けした過飽和リアクトル、４は電磁開閉器１，サーマルリレー２および過飽和リアクトル３を一括して搭載した取付ベース板であり、この組立ユニットを配電盤，制御盤などの盤内に据付けてモータ電源回路に接続するようにしている。なお、取付ベース板４は盤内の垂直な取付面に固定して電磁開閉器１を前向き姿勢に配備するようにしている。
【０００４】
ここで、サーマルリレー２は、電磁開閉器１の負荷側端子（ネジ端子）１ａに向けて突き出たロッド端子（電源側端子）２ａ，負荷側端子２ｂ，補助端子２ｃ，および内部にはバイメタル加熱用のヒートエレメント２ｆ（図６参照）を備え、電磁開閉器１に組み付けた状態で前記ロッド端子２ａを電磁開閉器の負荷側端子（ネジ端子）１ａに差し込み接続する。なお、２ｄは調整ダイアル、２ｅはリセットボタンである。一方、過飽和リアクトル３は鉄心（巻鉄心）３ａにコイル３ｂを巻装し、その巻始め，巻終わりのコイル口出線（絶縁被覆線）３ｃ，３ｄをコイル３ｂから上下に引き出した構造で、各相（Ｒ，Ｓ，Ｔ相）の過飽和リアクトル３はサーマルリレー２の周辺に分散配置して取付ベース板４の上に装着している。
【０００５】
そして、サーマルリレー２を電磁開閉器１に接続した状態で、リアクトル３のコイル３ｂから引き出した２本の口出線のうち、上方に引出した口出線３ｃはサーマルリレー２のロッド端子２ａとともに電磁開閉器１の負荷側端子（ネジ端子）１ａに差し込み接続し、下方に引き出した他方の口出線３ｄはサーマルリレー２の前面側に引き回した上で圧着端子５を介して負荷側端子（ネジ端子）２ｂに接続し、これで過飽和リアクトル３をサーマルリレー２の内蔵ヒートエレメント２ｆに並列接続している（図６参照）。
【特許文献１】実開平３−１２３３９号公報（図１−図５）
【発明の開示】
【発明が解決しようとする課題】
【０００６】
ところで、図４に示した従来の組立構造では、以下に述べるような問題点がある。
すなわち、外付けする過飽和リアクトル３を電磁開閉器１，サーマルリレー２と一緒に共用の取付ベース板４に搭載するようにしている。このために、盤内に既設の電磁開閉器，標準形サーマルリレーに過飽和リアクトルを追加して仕様を変更するには、既設の取付ベース板（過飽和リアクトル無し）を大形の取付ベース板４に取り替える必要があり、またこの場合には盤内構造に応じてベース板４の取付穴の位置を再加工するなど設置現場で行う付替え作業に手間が掛かる。また、図示のように過飽和リアクトル３の口出線３ｄをコイル３ｂの下方から引き出してサーマルリレー２の負荷側端子２ｂとの間に引き回した配線構造では、口出線（絶縁被覆線）３ｄがアース側の取付ベース板４に触れ、これに振動が加わると口出線３ｄの絶縁被覆が損傷して地絡事故を引き起こすおそれもある。
【０００７】
本発明は上記の点に鑑みなされたものであり、その目的は前記課題を解決して過飽和リアクトルを後付けする場合の仕様変更にも容易に対応でき、さらに配線面でも取付ベース板との接触，地絡事故のおそれなしにリアクトルコイルの口出線をサーマルリレーとの間で安全に引き回し配線できるようにその組立構造を改良した過飽和リアクトル付きサーマルリレーユニットを提供することにある。
【課題を解決するための手段】
【０００８】
上記目的を達成するために、本発明によれば、電磁開閉器と組合せて使用するサーマルリレーに、その内蔵ヒートエレメントと並列接続する過飽和リアクトルを外付けした過飽和リアクトル付きサーマルリレーユニットにおいて、
各相の過飽和リアクトルを電磁開閉器から分離した専用の取付ベース板の上に一括支持してサーマルリレーの側方に配置するとともに、過飽和リアクトルのコイル口出線を２本とも前記取付ベース板と反対側から上方に引出した上で、そのコイル口出線をサーマルリレーの負荷側端子，電源側端子に接続する（請求項１）。
【０００９】
ここで、前記取付ベース板には電磁開閉器の台座部に共締めする取付座を設けておき、盤内への設置時にリアクトルの取付ベース板を電磁開閉器の台座部に重ねて一緒に盤内に取り付けるようにする（請求項２）。
また、過飽和リアクトルのコイルから引出した２本の口出線のうち、その一方の口出線はサーマルリレーの負荷側端子に接続し、他方の口出線はサーマルリレーを電磁開閉器に組み付けた状態でサーマルリレーから突き出した主回路のロッド端子と一緒に電磁開閉器の負荷側端子に接続するか、もしくは差込式圧着端子を介して前記のロッド端子に接続する（請求項３）。
【発明の効果】
【００１０】
上記の構成によれば、各相の過飽和リアクトルを独立した専用の取付ベース板に一括搭載した上でサーマルリレーと組合せたことで、電磁開閉器に過飽和リアクトル付きサーマルリレーを追加する場合の仕様変更にも簡単な組み付け作業で対応できる。
しかも、過飽和リアクトルのコイル口出線を２本とも前記の取付ベース板と反対側面から上方に引出した上で、サーマルリレーとの間に引き回し配線することで、口出線が取付ベース板に触れたりして地絡事故を引き起こすおそれがなくて高い安全性を確保できる。
【発明を実施するための最良の形態】
【００１１】
以下、本発明の実施の形態を図１〜図３に示す実施例に基づいて説明する。なお、図１は電磁開閉器に過飽和リアクトル付きサーマルリレーユニットを組み付けた状態の斜視図、図２はサーマルリレーユニットを電磁開閉器に組み付ける前の状態の平面図、図３は過飽和リアクトルの外形図であり、実施例の図中で図４，図５に対応する部材には同じ符号を付してその説明は省略する。
【００１２】
すなわち、図示実施例のサーマルリレーユニットでは、Ｒ，Ｓ，Ｔ各相に対応する３個の過飽和リアクトル３を一列に並べて専用の取付ベース板６に搭載支持し、この過飽和リアクトルの組立体をサーマルリレー２の側方に配した上で、各過飽和リアクトル３のコイルから引出した口出線３ｃ，３ｄをサーマルリレー２の電源側，負荷側端子に接続してサーマルリレーユニットを構築している。
【００１３】
ここで、個々の過飽和リアクトル３はコイル３ｂのボビンに設けた取付脚部３ｅを介して取付ベース板６の上に固定されている。また、リアクトルコイルの口出線３ｃ，３ｄは、図３で示すように２本とも取付ベース板６と反対側の上面から引出しており、このうち口出線３ｄは圧着端子５を介してサーマルリレー２の負荷側端子（ネジ端子）２ｂに接続しておく。
【００１４】
一方、取付ベース板６にはタブ状の取付座６ａ，取付座６ｂを形成し、取付座６ａは取付ベース板６の端部から電磁開閉器１の台座部１ｂに向けて突き出し形成しておく。
そして、このサーマルリレーユニットを電磁開閉器１に組合せて盤内に設置する場合には、図２で示すように過飽和リアクトル３を搭載した取付ベース板６の取付座６ａを電磁開閉器１の台座部１ａの裏側に差し込んで重ね合わせ、ボルトにより共締めして電磁開閉器と一緒に盤内に固定する。また、サーマルリレー２はロッド端子２ａを電磁開閉器１の負荷側端子１ａに差し込んで組み付け、この負荷側端子（ネジ端子）１ａに過飽和リアクトル３のコイル口出線３ｃを一緒に差し込んでネジ締結する。
【００１５】
あるいは、先記した特許文献１に開示されている口出線の接続方式を採用し、口出線３ｃの素線先端に差込圧着端子を取付けておき、この圧着端子をサーマルリレー２のロッド端子（電源側端子）２ａに分岐形成した差込突起に圧入して接続することもできる。
【図面の簡単な説明】
【００１６】
【図１】本発明の実施例による過飽和リアクトル付きサーマルリレーユニットを電磁開閉器に組み付けた組立状態の外観斜視図
【図２】図１のサーマルリレーユニットを電磁開閉器に組み付ける前の状態の平面図
【図３】図１における過飽和リアクトルの外形斜視図
【図４】従来の飽和リアクトル付きサーマルリレーユニットを電磁開閉器に組み付けた組立状態の外観斜視図
【図５】サーマルリレー単独の外形斜視図
【図６】図４の回路図
【符号の説明】
【００１７】
１    電磁開閉器
１ａ  負荷側端子
１ｂ  台座部
２    サーマルリレー
２ａ  ロッド端子（電源側端子）
２ｂ  負荷側端子
２ｆ  ヒートエレメント
３    過飽和リアクトル
３ｂ  コイル
３ｃ，３ｄ  口出線
６    リアクトル搭載用の取付ベース板
【図１】
2008077971.tif 000003
【図２】
2008077971.tif 000004
【図３】
2008077971.tif 000005
【図４】
2008077971.tif 000006
【図５】
2008077971.tif 000007
【図６】
2008077971.tif 000008